(57)【要約】【課題】一般に使用されているクリップつきハンガーにズボンなどを吊るす際には、クリップを開いておくために一方の手を必要とするので、一定の幅のあるズボンなどの端の両角をそろえた状態でクリップにはさみこむのがむつかしい。両角をそろえて保持した状態で二つのクリップに同時にズボン等をはさみこめるようにするのが本案の課題である。【解決手段】クリップを開いた際に、クリップの口金のあいだに支柱が張り出して、口金間にはさまりクリップを開いたままの状態に維持できるような開口保持金具を考案した。　両手の親指と中指でズボン等の端の両角をそろえて持ち、両手の人差し指をそれぞれクリップ軸棒にかけながら、保持したズボン等の衣類の端を、開いた本案クリップの口金の間に押し込むと、開口保持金具がクリップ内部に滑り込み、同時にクリップが閉じて両角をそろえたズボン等を容易にはさみこむことができる。【選択図】　図３
0003098681.tif 000002
【実用新案登録請求の範囲】
【請求項１】
クリップを開くことによって、クリップ内部から支柱が張り出し、クリップ口金間にはさまって口金を開いた状態に保持し、この支柱をクリップ内部側に押し込むことによって、支柱がクリップ内部に折れこみながらクリップが閉じる構造を有するクリップのついた衣服ハンガー。
【考案の詳細な説明】
【０００１】
【考案の属する技術分野】
本考案は、ズボンやスカート等をはさむクリップのついた、衣類用ハンガーに関するものである。
【０００２】
【従来の技術】
一般に市販されているハンガーには単独あるいは上着とともに、ズボンやスカートをかけるための、左右２個のクリップのついているものがあるが、ハンガー棒や壁のフックに吊るされている、これらのハンガーにズボンなどをかける際には、片方の手でズボンを持ち、もう一方の手でクリップを開いて押さえつづけ、開いた状態を維持しながらズボンの端をクリップの口にはさみこまねばならない。
【０００３】
両手の指でズボンの折り目などをそろえてあっても、ハンガーにかける際には、クリップの口を開いておくために、一方の手を使うのでズボンの端は、もう一方の手の指だけで支え持つこととなり、ズボンの端が垂れ下がってしまうので、ある程度幅のある端の両角をそろえた状態でクリップにとめるのは困難であり、ハンガーを床に寝かせた状態でとりつけるなど手間がかかっていた。
【０００４】
本案は、両手の指でズボンなどの端の両角を保持したまま、開いているクリップの口に挿入することによって、容易にズボンなどがかけられるハンガー用クリップを提供しようとするものである。
【０００５】
【問題を解決するための手段】
上記の目的を達成するために、クリップを開くことによって、クリップ内部から開口保持金具が張り出してクリップ口金を開いた状態に保ち、開口保持金具をクリップ内部に押し込むことによって、閉じることのできるクリップを考案した。
【０００６】
開口保持金具の一端はクリップ口金枠に回転軸を介してとりつけられているが、他端にはローラーを設け口金内面をすべりやすくしてある。
【０００７】
クリップが閉じている状態では、開口保持金具は口金のなかに折りたたまれているが、クリップを開くと、保持金具の回転軸にとりつけたバネの力によって開口保持金具が、クリップ口金内面とほぼ垂直に立ち上がり、クリップから指を離しても、金具がクリップの口金の間にはさみ込まれて、クリップは開いた状態に維持される。
【０００８】
このような保持金具のついた左右２個のクリップを開いた状態にしておき、ズボン等の端の両角を、それぞれ左右の手の親指と中指で持ち、左右に引っ張りながら、開いている左右の両クリップの口に挿入し、左右の人差し指をそれぞれクリップの軸棒の両側にかけて、ズボンの端をクリップ内部へ押し込むと、開口保持金具のローラーつき可動端が口金内面上をすべって、クリップ内部へ倒れ、これにともなってクリップが閉じて、ズボンなどの端がはさみ込まれる。
【０００９】
【考案の実施の形態】
本案の実施の形態について図面を参照して説明する。
図１（ａ）は、一般に使用されているクリップつきハンガーの平面図である。
図１（ｂ）は、クリップ部分の側面図を示す。
【００１０】
クリップの口金内側に開口保持金具（７）を取り付けた一例を図２に示す。　開口保持金具の一端は回転軸（９）を介してクリップの口金枠（５）にとりつけられており、もう一方の端には、口金内面をすべりやすくするためのローラー（６）が取り付けられている。
【００１１】
図２において、開口保持金具（７）は、回転軸（９）の軸足の形状によって、クリップバネ側の口金内面に接する位置から、クリップ口金の内面にほぼ垂直となる位置までの間しか回転しないようになっている。
【００１２】
この回転軸には保持金具バネ（１０）がまきつけてあり、バネ脚で開口保持金具内面と口金内面をおさえているので、開口保持金具に力が加わらない限り、この金具は口金内面に対してほぼ垂直な状態で立ち上がっている。
【００１３】
このようなローラーつき開口保持金具（７）を装着したクリップの側面を図３（ａ）および（ｂ）に示す。　クリップを大きく開くと、開口保持金具（７）がクリップ口金内面で立ち上がって口金の間に入り込むので、クリップの口金は図３（ａ）のような状態で開いたままとなる。
【００１４】
図３（ｂ）はクリップ口金の閉じた状態での側面図である。　図３（ａ）の開口保持金具（７）の中央部を押し上げると、口金を閉じようとするクリップバネの力によって、開口保持金具のローラー（６）は口金内面を転がってクリップバネ（３）の方に移動し、開口保持金具（７）はクリップが閉じるにつれてクリップ内部で上方に折りたたまれる。
【００１５】
このような構造を持つクリップの、開いた口金の間にズボン等の布を押し込むと、開口保持金具（７）が上方に倒れるとともに、ズボン等の端がクリップにはさみ込まれる。
【００１６】
ローラーつき開口保持金具（７）は、クリップ口金枠の片側のみに取り付けられているが、中央の中折軸（１２）で山形に折れ曲がるが、谷形には曲がらない中折開口保持金具（１１）の中折軸に保持金具バネ（１０）と同様なバネを組み込んだ上、中折保持金具の両端を、クリップの両方の口金枠（５）に回転軸を介して取り付けても、ローラーつき開口保持金具と同様の効果が得られる。
【００１７】
このようにしたクリップの閉じた状態と開いた状態の側面をそれぞれ、図４（ａ）と図４（ｂ）に示す。
【００１８】
【考案の効果】
本考案は上記のとおりにつくられているので、次に記載する効果を有する。
【００１９】
両手の親指と中指でそれぞれズボンやスカートなどの端の両角を保持し、両手の人差し指をそれぞれハンガーのクリップ軸棒にかけながら、開いたハンガークリップの口に押し込むことによって、ズボン端の両角をそろえた状態のまま、二つのハンガークリップに一度の動作で容易にはさみこむことができる。
【図面の簡単な説明】
【図１】（ａ）および（ｂ）一般に市販されているクリップつき洋服ハンガー（ａ）とクリップの側面図である。
【図２】クリップ口金にとりつけたクリップ開口保持金具の例である。
【図３】（ａ）および（ｂ）開口保持金具をとりつけたクリップの、開いた状態（ａ）と閉じた状態（ｂ）の側面図である。
【図４】（ａ）および（ｂ）中折れ開口保持金具をつけたクリップの開いた状態（ａ）と閉じた状態（ｂ）の側面図である。
【符号の説明】
１　クリップ
２　クリップ軸棒
３　クリップバネ
４　クリップの口金
５　口金枠
６　ローラー
７　開口保持金具
８　衣類はさみこみ部
９　開口保持金具回転軸
１０　保持金具バネ
１１　中折開口保持金具
１２　中折軸
【図１】
0003098681.tif 000003
【図２】
0003098681.tif 000004
【図３】
0003098681.tif 000005
【図４】
0003098681.tif 000006